【事件の表示】
　平成１１年特許願第２８８８７３号「画像読み取り装置」拒絶査定不服審判事件〔平成１３年　４月２０日出願公開、特開２００１−１１１７８６〕について、次のとおり審決する。
【結　論】
　本件審判の請求は、成り立たない。
【理　由】
１．手続きの経緯・本願発明
　本願は、平成１１年１０月８日に出願されたものであって、平成１７年３月８日付けで拒絶査定がされ、これに対して平成１７年４月２０日に拒絶査定不服審判が請求されたものであって、その請求項１−２に係る発明は、明細書及び図面の記載からみて、特許請求の範囲の請求項１−２に記載されたとおりのものと認められるところ、請求項１に係る発明（以下、「本願発明」という。）は次のとおりのものである。
　
　「【請求項１】 原稿台ガラス板に対し原稿を移動させる一方、画像読み取り光学系を定位置に固定配置して該移動する原稿の画像を読み取る原稿流し撮りモードを実行できる画像読み取り装置において、該原稿流し撮りモードにおいて前記画像読み取り光学系による画像読み取り焦点位置が該原稿流し撮りモードで使用する前記原稿台ガラス板の板面からずれた位置となるように該原稿台ガラス板の厚み及び（又は）屈折率が設定されており、原稿流し撮りモードにおいて原稿は該ずれた画像読み取り焦点位置を通過させることを特徴とする画像読み取り装置。」
　
２．引用刊行物
　原審が拒絶の理由に引用した特開平８−１２３１５７号公報（平成８年５月１７日出願公開。以下、「引用例１」という。）には、図面と共に次の各記載がある。
　
（ア）「【０００１】
【産業上の利用分野】本発明は、原稿面を露光走査して像光を得る原稿露光走査装置に関し、特に、
プラテンガラス上に敷き置かれる原稿と、プラテンガラスに沿って搬送される原稿とのいずれについても露光走査し、像光を得ることのできる原稿露光走査装置に係る
【０００２】
【従来の技術】複写機、イメージスキャナ、ファクシミリ等に用いられる原稿露光走査装置として、
プラテンガラス上に敷き置かれる原稿と、原稿トレーに載置され、一枚ずつプラテンガラス上を移送される原稿とのいずれについても、露光走査して、像光を得ることのできるものが知られている
（中略）【０００６】
【発明が解決しようとする課題】しかし、上述の
従来の原稿露光走査装置では、原稿をプラテンガラスに圧接させながら移送すると、原稿のインクや原稿に付着していた汚れがプラテンガラスに付着し、黒筋等の欠陥を生じることがある
一方、原稿をプラテンガラスに押圧しなければ、原稿がプラテンガラスから浮き上がって通過するために、原稿からレンズまでの光路長が増加し、原稿での反射光が正確に受光体上で結像せず、鮮明な像が得られないという問題点がある
【０００７】本発明は、上述の問題点に鑑みてなされたもので、
その目的は、プラテンガラスを汚したり、原稿に悪影響を及ぼすことなく、常に鮮明な像を受光体へ投影させることのできる原稿露光走査装置を提供することにある
【０００８】
【課題を解決するための手段】以上の課題を解決するために、請求項１に記載の発明は、原稿が敷き置かれるプラテンガラスと、原稿面がプラテンガラス上を通過するように原稿を一枚ずつ走行移動させる原稿送り装置と、　原稿面を露光する露光手段と、原稿面からの反射光（像光）を反射する第１のミラーとを搭載し、プラテンガラスに敷き置かれた原稿については、原稿面に沿って走行しながら露光走査し、プラテンガラス上を通過する原稿については、静止した状態のまま、通過する原稿面を露光走査するランプキャリッジと、　前記第１のミラーで反射した像光を反射して受光体に導く第２のミラー及び第３のミラーを搭載し、前記ランプキャリッジと連動して走行するミラーキャリッジと、　前記反射光の光路上に支持され、ミラーからの像光を受光体上へ結像させるレンズとを有する原稿露光走査装置において、前記ランプキャリッジが、プラテンガラス上を移動する原稿を露光走査する位置に停止したときに、前記ミラーキャリッジに搭載された第２のミラー及び第３のミラーを前記結像レンズ側に所定量だけ移動させるミラーシフト手段を備えるものとする。
【０００９】また、請求項２に記載の発明は、請求項１に記載の原稿露光走査装置において、前記ミラーキャリッジは、ランプキャリッジと同方向に走行するミラーキャリッジ本体部と、第２のミラー及び第３のミラーを固定支持し、ミラーキャリッジ本体部に対して光路方向に移動可能に支持されるミラー支持枠とを有し、前記ミラーシフト手段は、このミラー支持枠をミラーキャリッジ本体部に対して前記光路方向と反対側へ付勢する付勢手段と、前記ミラーキャリッジが停止したまま露光走査を行うときに、ミラー支持枠を前記付勢手段による付勢力に抗して結像レンズ側に押し出す当接部材と、を備えるものとする。
【００１０】請求項１に記載のミラーシフト手段は、ランプキャリッジが静止して露光走査を行なうときに、第２のミラー及び第３のミラーをミラーキャリッジに対して結像レンズ側へ移動し、プラテンガラス上面からレンズまでの光路を、走行露光走査時よりも所定量だけ短縮させるものである。なお、短縮される光路は、搬送される原稿がプラテンガラスから浮き上がる距離の１／２程度であることが望ましい。また、ミラーキャリッジ全体を受光体側へ移動させるものでも、ミラーのみを移動させるものでもよい。
【００１１】請求項２に記載の付勢手段は、ばね、ゴム等の弾性体を、ミラーキャリッジ本体部とミラー支持枠又はミラ支持枠に支持される部材との間に介装して用いることができる。更に、請求項２に記載の当接部材は、形状・寸法等を適宜選択することができ、原稿露光走査装置の枠体等を利用することもできる。
【００１２】
【作用】請求項１に記載の原稿露光走査装置では、プラテンガラス上に載置された原稿を露光走査するときには、ランプキャリッジがプラテンガラスに沿って走行し、ミラーキャリッジはこれに連動することによってプラテンガラスの上面からレンズまでの光路長が一定に保たれる。一方、原稿送り装置によってプラテンガラス上を走行移動される原稿を露光走査するときには、ランプキャリッジが所定位置に移動して静止する。そして、ミラーキャリッジもランプキャリッジに連動し、所定の位置で静止する。このとき、ミラーシフト手段によって第２のミラーおよび第３のミラーが結像レンズ側に所定量だけ移動される。
すなわち、プラテンガラス上面からレンズまでの光路長がランプキャリッジの走行時より短くなるようにミラーがシフトされる。したがって、レンズによって受光体に上に投影される像のピントが合う位置は、プラテンガラス上面よりも、やや上方となり、原稿がプラテンガラスより浮き上がった状態で露光走査されても、原稿面からの反射光は受光体上で鮮明に結像される
【００１３】請求項２に記載の発明に係る原稿露光装置では、通常は、付勢手段がミラー支持枠を受光体と反対側へ付勢し、第２のミラー及び第３のミラーは、ミラーキャリッジ本体部と一体となって移動する。従って、ミラーキャリッジがランプキャリッジと連動し、プラテンガラス上の原稿を露光走査するときに、プラテンガラスの上面からレンズまでの距離が所定量に維持される。一方、原稿送り装置が原稿を走行移動し、ランプキャリッジがプラテンガラス上を通過する原稿を静止したまま露光走査する位置にくると、当接部材がミラー支持枠に当接し、付勢手段による付勢に抗してミラー支持枠を結像レンズ側へ押し出す。
そのため、第２のミラー及び第３のミラーは受光体寄りに進出して配置され、第１のミラーに反射された後レンズに届くまでの像光の光路が短くなる。従って、原稿がプラテンガラスから浮き上がった状態で露光走査され、第１のミラーに届くまでの像光の光路が増加しても、増加した分の光路がミラーの移動によって相殺され、像光は適切な光路長でレンズへ入射される
　なお、下線は審決において附された。以下同様。
　
（イ）「【００１８】一方、原稿トレー３０に載置された原稿Ｄ’を露光走査する場合には、図２に示す様に、ランプキャリッジ５０は、原稿送り装置４０の開口部４２の下方に静止する。同時に、ミラーキャリッジ本体部６３も所定の位置に静止する。このとき、ミラーキャリッジ本体部６３とともに移動してきたミラー支持枠６４の当接部６４ｂが露光走査装置の本体枠８０に突き当たり、ミラー支持枠６４が搬送路幅Ｗ（プラテンガラス上面からその上方の搬送路の壁までの距離、以下同じ）の１／４だけ結像レンズ７０側へ移動し、静止する。
その結果、第１のミラー５２から第２のミラー６１までの距離と、第３のミラー６２からレンズ７０までの距離とが、それぞれ搬送路幅Ｗの１／４ずつ短縮される。従って、プラテンガラス上に載置された原稿を走査するときには、プラテンガラス上面にピントが合っていると、上記静止時にはプラテンガラスより搬送路幅Ｗの１／２だけ上方にピントが合うことになる
【００１９】その後、搬送ローラ４３が回転し、原稿が一枚ずつ搬送路４１内に送り込まれ、開口部４２の上方を順次通過すると、静止するランプキャリッジ５０の露光ランプ５１により露光され、原稿面からの反射光（像光）は第１のミラー５２、第２のミラー６１及び第３のミラー６２に順に反射し、結像レンズ７０で受光体上に結像される。このとき、搬送路４１内を通過する原稿は搬送路を上下しながら通過するが、光学系のピントは搬送路のほぼ中央に合っており、走行移動する原稿からの反射光は受光体上で鮮明に結像される。
【００２０】図３は、露光走査される原稿のプラテンガラス１０上面からの距離と、その原稿から得た像光が入射されたときの受光体上の像の状態との関係を示すグラフである。曲線Ａは、ミラー支持枠６４をミラーキャリッジに対して移動せず、レンズから遠い側に支持したまま露光走査を行なう場合を示すものである。このとき、光学系のピントはプラテンガラスの上面に合っている。プラテンガラス１０上に敷き置かれた原稿はプラテンカバー２０に押圧されるため、プラテンガラス１０上面からの距離が０となり、受光体上の像は、最良の状態（３）を得るようになっている。一方、ミラー支持枠６４をシフトして、光路を短縮することなく原稿送り装置４０で原稿を移送しながら露光走査すると、原稿は搬送路４１中を上下しながら移動し、像光の光路は最大で、搬送路幅Ｗ分だけ増加する。そのため、受光体上の像は、部分的に（１）付近の適切でない状態が生じることになる。
【００２１】しかし、前述の動作によって
ミラー支持枠６４をレンズ７０側へ移動させると、第１のミラー５２に反射後レンズ７０に入射するまでの光路が短縮され、光学系のピントがプラテンガラスの上面より上方に合うことになる。その結果、曲線Ｂに示す様に、受光体上の像は、（２）から（３）までの良好な状態のものとなる。特に本実施例では、ミラー支持枠６４を搬送路幅Ｗの１／４ずつ結像レンズ７０側に移動させ、プラテンガラスの上面より搬送路幅Ｗの１／２分上方にピントを合わせているので、搬送路４１中における原稿が大きな範囲で上下しても、良好な状態の像を受光体上に形成することができる
【００２２】
【発明の効果】請求項１又は請求項２に記載の発明に係る原稿露光走査装置では、プラテンガラス上を移送される原稿を走査するときに、
ミラーシフト手段が第２のミラーおよび第３のミラーを受光体側へ移動するので、プラテンガラス上面から結像レンズまでの光路長が短縮され、プラテンガラスの上面より上方に光学系のピントが合った状態となる。したがって、原稿がプラテンガラスに押圧されることなく、浮き上がった状態で移送されても、受光体上に鮮明な像を投影することができる。また、移送される原稿をプラテンガラス上に押圧せずに搬送することができるので、原稿を損傷したり、原稿のインクや汚れがプラテンガラスに付着することがなく、黒筋等の画像欠陥を防止することができる
　なお、表記の都合上、丸数字は括弧付きの数字で表した。以下、同様。
　
　以上の記載からみて、引用例１には、次のような発明が記載されているものと認められる。
　「原稿が敷き置かれるプラテンガラスと、原稿面がプラテンガラス上を通過するように原稿を一枚ずつ走行移動させる原稿送り装置と、
　原稿面を露光する露光手段と、原稿面からの反射光（像光）を反射する第１のミラーとを搭載し、プラテンガラスに敷き置かれた原稿については、原稿面に沿って走行しながら露光走査し、プラテンガラス上を通過する原稿については、静止した状態のまま、通過する原稿面を露光走査するランプキャリッジと、
　前記第１のミラーで反射した像光を反射して受光体に導く第２のミラー及び第３のミラーを搭載し、前記ランプキャリッジと連動して走行するミラーキャリッジと、
　前記反射光の光路上に支持され、ミラーからの像光を受光体上へ結像させるレンズとを有する原稿露光走査装置において、
　前記ランプキャリッジが、プラテンガラス上を移動する原稿を露光走査する位置に停止したときに、前記ミラーキャリッジに搭載された第２のミラー及び第３のミラーを前記結像レンズ側に所定量だけ移動させるミラーシフト手段を備え、前記ミラーシフト手段は、このミラー支持枠をミラーキャリッジ本体部に対して前記光路方向と反対側へ付勢する付勢手段と、前記ミラーキャリッジが停止したまま露光走査を行うときに、ミラー支持枠を前記付勢手段による付勢力に抗して結像レンズ側に押し出す当接部材とを備える原稿露光走査装置。」
　
３．対比
　本願発明と引用例１に記載された発明を対比すると、引用例１に記載された発明の「プラテンガラス１０」は、本願発明の「原稿台ガラス板」に相当し、引用例１に記載された発明の「ランプキャリッジ５０、ミラーキャリッジ６０、及びレンズ７０」は、本願発明の「画像読み取り光学系」に相当し、引用例１に記載された発明の「原稿露光走査装置」は、本願発明の「画像読み取り装置」に相当することは、明らかである。また、引用例１に記載された発明の「プラテンガラスに沿って搬送される原稿を露光走査し像光を得る露光走査モード」は、本願発明の「原稿流し撮りモード」に相当することも明らかである。
　
　そして、引用例１には、原稿面を露光走査して像光を得る原稿露光走査装置に関し、特に、プラテンガラス上に敷き置かれる原稿と、プラテンガラスに沿って搬送される原稿とのいずれについても露光走査し、像光を得ることのできる原稿露光走査装置が記載されている（前掲（ア）の段落【０００１】、【０００２】の記載参照。）から、本願発明と引用例１に記載された発明とは、
　「原稿台ガラス板に対し原稿を移動させる一方、画像読み取り光学系を定位置に固定配置して該移動する原稿の画像を読み取る原稿流し撮りモードを実行できる画像読み取り装置」
である点で差異はない。
　
　また、引用例１には、
(i)「【００１２】
【作用】請求項１に記載の原稿露光走査装置では、プラテンガラス上に載置された原稿を露光走査するときには、ランプキャリッジがプラテンガラスに沿って走行し、ミラーキャリッジはこれに連動することによってプラテンガラスの上面からレンズまでの光路長が一定に保たれる。一方、原稿送り装置によってプラテンガラス上を走行移動される原稿を露光走査するときには、ランプキャリッジが所定位置に移動して静止する。そして、ミラーキャリッジもランプキャリッジに連動し、所定の位置で静止する。このとき、ミラーシフト手段によって第２のミラーおよび第３のミラーが結像レンズ側に所定量だけ移動される。すなわち、
プラテンガラス上面からレンズまでの光路長がランプキャリッジの走行時より短くなるようにミラーがシフトされる
レンズによって受光体に上に投影される像のピントが合う位置は、プラテンガラス上面よりも、やや上方となり、原稿がプラテンガラスより浮き上がった状態で露光走査されても、原稿面からの反射光は受光体上で鮮明に結像される
(ii)「【００１３】請求項２に記載の発明に係る原稿露光装置では、通常は、付勢手段がミラー支持枠を受光体と反対側へ付勢し、第２のミラー及び第３のミラーは、ミラーキャリッジ本体部と一体となって移動する。従って、ミラーキャリッジがランプキャリッジと連動し、プラテンガラス上の原稿を露光走査するときに、プラテンガラスの上面からレンズまでの距離が所定量に維持される。一方、原稿送り装置が原稿を走行移動し、ランプキャリッジがプラテンガラス上を通過する原稿を静止したまま露光走査する位置にくると、当接部材がミラー支持枠に当接し、付勢手段による付勢に抗してミラー支持枠を結像レンズ側へ押し出す。
そのため、第２のミラー及び第３のミラーは受光体寄りに進出して配置され、第１のミラーに反射された後レンズに届くまでの像光の光路が短くなる。従って、原稿がプラテンガラスから浮き上がった状態で露光走査され、第１のミラーに届くまでの像光の光路が増加しても、増加した分の光路がミラーの移動によって相殺され、像光は適切な光路長でレンズへ入射される
(iii)「【００１８】一方、原稿トレー３０に載置された原稿Ｄ’を露光走査する場合には、図２に示す様に、ランプキャリッジ５０は、原稿送り装置４０の開口部４２の下方に静止する。同時に、ミラーキャリッジ本体部６３も所定の位置に静止する。このとき、ミラーキャリッジ本体部６３とともに移動してきたミラー支持枠６４の当接部６４ｂが露光走査装置の本体枠８０に突き当たり、ミラー支持枠６４が搬送路幅Ｗ（プラテンガラス上面からその上方の搬送路の壁までの距離、以下同じ）の１／４だけ結像レンズ７０側へ移動し、静止する。その結果、第１のミラー５２から第２のミラー６１までの距離と、第３のミラー６２からレンズ７０までの距離とが、それぞれ搬送路幅Ｗの１／４ずつ短縮される。
従って、プラテンガラス上に載置された原稿を走査するときには、プラテンガラス上面にピントが合っていると、上記静止時にはプラテンガラスより搬送路幅Ｗの１／２だけ上方にピントが合うことになる
(iv)「【００２１】しかし、前述の動作によってミラー支持枠６４をレンズ７０側へ移動させると、第１のミラー５２に反射後レンズ７０に入射するまでの光路が短縮され、
光学系のピントがプラテンガラスの上面より上方に合うことになる
プラテンガラスの上面より搬送路幅Ｗの１／２分上方にピントを合わせているので、搬送路４１中における原稿が大きな範囲で上下しても、良好な状態の像を受光体上に形成することができる
【００２２】
【発明の効果】請求項１又は請求項２に記載の発明に係る原稿露光走査装置では、プラテンガラス上を移送される原稿を走査するときに、ミラーシフト手段が第２のミラーおよび第３のミラーを受光体側へ移動するので、
プラテンガラス上面から結像レンズまでの光路長が短縮され、プラテンガラスの上面より上方に光学系のピントが合った状態となる
原稿がプラテンガラスに押圧されることなく、浮き上がった状態で移送されても、受光体上に鮮明な像を投影することができる
移送される原稿をプラテンガラス上に押圧せずに搬送することができるので、原稿を損傷したり、原稿のインクや汚れがプラテンガラスに付着することがなく、黒筋等の画像欠陥を防止することができる
　との記載がなされており、これらの記載(i)〜(iv)からみて、引用例１には、プラテンガラス１０に沿って搬送される原稿を露光走査し像光を得る露光走査モード（原稿流し撮りモードに相当）において、光学系による原稿読み取り焦点位置がプラテンガラス１０の上面より上方にずれた位置となるように設定し、原稿は該ずれた焦点位置を通過することが記載されているから、本願発明と引用例１に記載された発明とは、
　「該原稿流し撮りモードにおいて前記画像読み取り光学系による画像読み取り焦点位置が該原稿流し撮りモードで使用する前記原稿台ガラス板の板面からずれた位置となるように設定されており、原稿流し撮りモードにおいて原稿は該ずれた画像読み取り焦点位置を通過させる画像読み取り装置。」
である点で差異はない。
　
　そうすると、本願発明と引用例１に記載された発明とは、
（一致点）
　「原稿台ガラス板に対し原稿を移動させる一方、画像読み取り光学系を定位置に固定配置して該移動する原稿の画像を読み取る原稿流し撮りモードを実行できる画像読み取り装置において、該原稿流し撮りモードにおいて前記画像読み取り光学系による画像読み取り焦点位置が該原稿流し撮りモードで使用する前記原稿台ガラス板の板面からずれた位置となるように設定されており、原稿流し撮りモードにおいて原稿は該ずれた画像読み取り焦点位置を通過させる画像読み取り装置。」
である点で一致し、次の点で相違する。
　
（相違点）
　本願発明では、原稿ガラス板の厚み及び（又は）屈折率を適宜な値とすることにより、画像読み取り焦点位置がガラス板の板面からずれた位置となるように設定されているのに対して、
　引用例１に記載された発明では、ミラーシフト手段により、画像読み取り焦点位置が、プラテンガラス１０の上面より上にずれた位置となるように設定されている点。
　
４．当審の判断
　上記相違点について判断するに、
(i)引用例１には、本願発明が解決しようとする課題と同じ課題が明記されており（段落【０００６】、【０００７】、【００２２】参照。）、かつその課題は従来より当業者には良く認識されていたことが指摘されている。
(ii)また、光学材料（レンズやガラス等を含む）の材質（屈折率）、厚さ、及び形状等を適宜なものにすると、所望の焦点距離の光学機器が得られることは、光学の技術分野における当業者の周知自明な技術常識である。
(iii)そして、自動原稿送り装置において、ガラスの厚みまたは屈折率を適切な値とすることにより画像読み取り装置の焦点距離を変えることは、原審が拒絶の理由に引用した特開平５−２３６２０４号公報（特に、段落【００１６】〜【００１８】の記載及び図面４における開示を参照。）にその旨の記載があるように当業者には周知な技術事項である。
　以上（i)〜(iii)に示される周知技術事項を踏まえると、引用例１に記載された発明に、上記周知技術事項を適用する阻害要因はないといわざるを得ず、したがって、引用例１に記載された発明の「ミラーシフト手段」を「適宜な厚み又は屈折率の原稿台ガラス板」に代え、本願発明の如く構成することは当業者が適宜なし得ることである。
　
５．むすび
　以上のとおり、本願発明は、引用例１に記載された発明及び周知技術に基づいて当業者が容易に発明をすることができたものであり、特許法第２９条第２項の規定により特許を受けることができないものであるから、他の請求項について検討するまでもなく、本願は拒絶されるべきものである。
　よって、結論のとおり審決する。